Podtech/llm-jp-corpus-v4-ja_patent huggingface dataset:
(57)【要約】      （修正有）【課題】折り畳んだ状態で刺繍・名入れが表側に表示される簡単折畳みエコバッグを提供する。【解決手段】エコバッグは、刺繍・名入れが表側に表示され、ホック４が設けられた本体５と、外側に向けてホック３が取付けられたインナーポケットとを備える。インナーポケットを本体の裏側に回し、３つ折りに折り畳んだ本体表のホックにインナーポケットのホックを留める。折り畳んだ状態で、刺繍・名刺入れが表側に表示される。【選択図】図１
0003226674.tif 000002
【実用新案登録請求の範囲】
【請求項１】
折り畳んだ状態で刺繍・名入れが表側に表示される簡単折畳みエコバッグ
【考案の詳細な説明】
【技術分野】
【０００１】
本考案はエコバッグに施された刺繍が表側に表示されて簡単に折畳みできるものである。
【背景技術】
【０００２】
一般的にエコバッグは畳むか別袋に収納して鞄等に収納して携行使用されていた。
【先行技術文献】
【特許文献】
【０００３】
【特許文献１】「特許物件１」実登3222800号
【非特許文献】
【０００４】
【非特許文献１】レジ袋有料化などエコバッグ需要の広がりを見越してエコバッグ専門店「ルートートギャラリー」を２０１９年9月にキラリナ吉祥寺にオープンした。同社では初めてのエコバッグ専門店で全国でも珍しい。20年7月からレジ袋が有料化される見通しになり、エコバッグへの関心も高まりつつあることを背景にポータブルエコバッグ（小さく畳めるエコバッグ）だけに特化した専門店とした。今後、レジ袋有料化やおしゃれなデザイン志向を受けエコバッグ需要が本格化することを見込んだ試みで、背負えるタイプやリバーシブルタイプや、雨の日には手持ちバッグのカバーになるタイプなど多機能バッグも人気が出ている。  出典繊研新聞2019/11/14
【考案の概要】
【考案が解決しようとする課題】
【０００５】
杉並区公式環境マスコット「ナミスケ」の刺繍を施したエコバッグを区役所売店で販売するに当たり折畳んだ状態では、マスコット刺繍が表側に表示されないという不具合を解決するために考案した。
従来の別袋形式、マジックテープ(登録商標）で留める方法等があり種々雑多で一度広げると元に戻すのが容易でないという物もあり困惑した。
バッグインバッグとして、普段は鞄に収納して携行することが前提で丸める形状ではは鞄内部がかさばる為除外した。また、マジックテープ(登録商標）はニット類（セーター・タオル等）にテープが絡みつきほつれを生じやすいので同様に除外した。
ナミスケは杉並区のレジ袋削減運動の文書、ポスターには必ず同時掲載されますのでエコバッグの表側に刺繍が見える事が前提で上記の条件をクリアする必要があります。
（杉並区なみすけ承認番号    第28-6号  なみすけマイバッグ）
【課題を解決するための手段】
【０００６】
エコバッグのインナーポケットに着目して、これにホックを外側に向けて取り付けて結束ベルト代わりにして、エコバッグ本体表の上部から13センチの所にホック(オス)を取付けて、インナーポケットを本体の裏側にぐるりと回して3つ折りした本体表のホック（ゲンコ）に留めることで上記の諸条件を解決した。
ホックの位置はエコバッグの高さと折畳回数により変化する。「図１」、「図２」
【考案の効果】
【０００７】
誰もが、シンプルコンパクトに畳めることができる。畳んだ形状も長方形で平べったいので鞄の中の収まりが良いです。また、カワイイ刺繍が表に見えるので19年春の区役所1階でのなみすけフェアでは80個が即日完売した。
G20首脳会議ではプラスティックゴミを2050年迄にゼロにする目標が採択され、国においては、レジ袋の完全有料化、義務化が決定されました。
またコンパクトに畳んだ状態でも名入れ刺繍が表示可能ですので杉並区内の企業・団体にもこのエコバッグをPRツールとして推奨して推進いたします。
【図面の簡単な説明】
【０００８】
【図１】エコバッグのインナーポケットにバネホック、本体刺繍の下にゲンコホックを１箇所取付けた全体図である。
【図２】図２は折畳みの手順である。
【図３】は完成図面である。
【考案を実施するための形態】
【０００９】
以下「図２」に従って実施例を説明する。
（１）エコバッグ本体からホックを取付けたインナーポケットを上にして広げる。
（２）持ち手をバッグの中にいれる。
（３）エコバッグ本体の左右を中央に向かって折り畳んでから、底部を上に向かって１回上に折り畳む。
（４）ポケットに向かって内側に２回折り畳んでから、最後にホックを留める。
(５)完成「図３」
【実施例】
【００１０】
以下「図3」に従って実施例を説明する。
（１）畳んだエコバッグは長財布の形状になり鞄等の内部で嵩張らない。「図３」
（２）エコバッグ表側には刺繍等が表示されており、売り場で陳列しても映える。
（３）改造ポイントはホック1箇所だけなのでコストアップしないので低価格です。
（４）誰でも解りやすく簡単に畳むことが可能なエコバッグです。
【産業上の利用可能性】
【００１１】
一般的なエコバッグでは、たたまれた状態ではマーク・ロゴ等は表示されない事が多い。このエコバッグはコンパクトに畳んだ状態でも名入れ、マーク等の刺繍が表示されるので宣伝効果が高い。杉並区内の企業・団体にもこのエコバッグをPRツールとして推奨してまいります。
【符号の説明】
【００１２】
１ なみすけ刺繍
２ 持ち手
３ホック（バネ：メス）
４ ホック（ゲンコ：オス）
５ エコバッグ本体
【図１】
0003226674.tif 000003
【図２】
0003226674.tif 000004
【図３】
0003226674.tif 000005
【手続補正書】
【提出日】令和2年3月17日(2020.3.17)
【手続補正１】
【補正対象書類名】実用新案登録請求の範囲
【補正対象項目名】全文
【補正方法】変更
【補正の内容】
【実用新案登録請求の範囲】
【請求項１】
刺繍・名入れが表側に表示され、ホックが設けられた本体と、外側に向けてホックが取付けられたインナーポケットとを備え、前記インナーポケットを前記本体の裏側に回して折り畳み、前記本体のホックに前記インナーポケットのホックを留めて、折り畳んだ状態で前記刺繍・名入れが表側に表示される簡単折畳みエコバッグ。
(57)【要約】      （修正有）【課題】ケースが安価で、廃棄処分が問題無く行われる防虫具を、さらには、屋外使用に好適な防虫具を提供する。【解決手段】ケース２内に防虫成分発生体３が設けられるとともに、ケース２に防虫成分発生体３からの防虫成分の放出用開口５が設けられ、ケース２が耐水性紙材よりなる。【選択図】図２
0003226695.tif 000002
【実用新案登録請求の範囲】
【請求項１】
ケース内に防虫成分発生体が設けられるとともに、前記ケースに前記防虫成分発生体からの防虫成分の放出用開口が設けられてなる防虫具において、前記ケースが耐水性紙材よりなることを特徴とする防虫具。
【請求項２】
前記耐水性紙材が耐水性クラフト紙である請求項１記載の防虫具。
【請求項３】
屋外使用される請求項１または２記載の防虫具。
【請求項４】
前記ケースに水抜き穴を備える請求項３記載の防虫具。
【考案の詳細な説明】
【技術分野】
【０００１】
この考案は、屋外等において好適に用いられる防虫具に関する。
【背景技術】
【０００２】
家屋のドアや窓等の開口が開かれた際には、そこからコバエや蚊等の子虫が家屋内に浸入する恐れがあり、それを防止するように屋外側に防虫具を取り付け使用することが行われている。その防虫具はケース内に防虫成分発生体が設けられケースに設けられた放出用開口から防虫成分を放出し、そのエリアに子虫が寄り付かないようにするものであり、防虫具は防虫効果が無くなった時点で使い捨て使用されている。
【考案の概要】
【考案が解決しようとする課題】
【０００３】
上記従来の防虫具においては、ケースがプラスチックス製であるので製造コストが高いとともに、その廃棄処分に難点を有する問題があった。
【０００４】
この考案は上記の事情に鑑みて行ったもので、ケースが安価で、廃棄処分が問題無く行われる防虫具を提供することを目的とする。さらには、屋外使用に好適な防虫具を提供することを目的とする。
【課題を解決するための手段】
【０００５】
この考案では、ケース内に防虫成分発生体が設けられるとともに、前記ケースに前記防虫成分発生体からの防虫成分の放出用開口が設けられてなる防虫具において、前記ケースが耐水性紙材よりなることを特徴とする防虫具を提供する。
【０００６】
この考案の防虫具は、ケースが耐水性紙材よりなることで安価に制作されるとともに、所定の使用期間後の廃棄も一般ごみとして支障なく行える。耐水性紙材としては適宜のものが使用されるが、強度やデザイン性の面から耐水性クラフト紙が好適に用いられる。
【０００７】
この考案の防虫具は、屋外において好適に使用される。屋外で使用される際には雨水に濡れることがあるが、ケースが耐水性紙材よりなることで所定の使用期間（１２０日程度）に劣化、損傷することはない。また、ケースに水抜き穴を備える構成されることで水が抜かれ劣化、損傷が回避される。
【考案の効果】
【０００８】
この考案によれば、ケースが紙材よりなり安価で、廃棄処分が問題無く行われる防虫具が提供され、とくに、ケースとして耐水性紙材を用いたことで屋外使用に好適な防虫具が提供される。
【図面の簡単な説明】
【０００９】
【図１】この考案の防虫具の実施形態の斜視図
【図２】この考案の防虫具の実施形態の縦方向断面図
【考案の実施するための形態】
【００１０】
図１はこの考案の防虫具１の実施形態の斜視図、図２は同縦方向断面図である。
【００１１】
防虫具１はケース２内に防虫成分発生体３が設けられて構成されている。防虫成分発生体３としては、ハッカオイルを含侵させた担持体を通気性袋に納めたものを用いている。ケース２は耐水性クラフト紙よりなる耐水性紙材よりなり、前面側にデザイン模様７が付されるとともに４個の防虫成分の放出用開口５が設けられている。ケース２の細くなった下縁の両端とその近傍には水抜き穴９のそれぞれが設けられ、上縁の両端近傍には吊り下げ紐の取付け穴１１のそれぞれが設けられている。
【００１２】
上記防虫具が吊り下げ紐により屋外に吊り下げ使用されると、防虫成分発生体３からの
防虫成分が放出用開口５から放出されて防虫成分が周囲に漂うことで、コバエや蚊等の子虫がそのエリアから遠ざかり、ドアや窓等の開口が開かれた際にコバエや蚊等の子虫が家屋内に浸入することが防止される。
【００１３】
防虫具が屋外で使用される際には雨水に濡れることがあるが、ケースが耐水性紙材よりなることで所定の使用期間に劣化、損傷することはない。また、使用に際し水抜き穴９から水が抜かれることでも劣化、損傷が回避される。
【００１４】
ケース２は耐水性紙材よりなることで安価に制作されるとともに、所定の使用期間後の廃棄も一般ごみとして支障なく行えて環境問題にも貢献する。
【符号の説明】
【００１５】
１      防虫具
２      ケース
３      防虫成分発生体
５      放出用開口
【図１】
0003226695.tif 000003
【図２】
0003226695.tif 000004
【手続補正書】
【提出日】令和2年3月27日(2020.3.27)
【手続補正１】
【補正対象書類名】実用新案登録請求の範囲
【補正対象項目名】全文
【補正方法】変更
【補正の内容】
【実用新案登録請求の範囲】
【請求項１】
ケース内に防虫成分発生体が設けられるとともに、前記ケースに前記防虫成分発生体からの防虫成分の放出用開口が設けられてなる防虫具において、前記ケースが耐水性紙材よりなることを特徴とする防虫具。
【請求項２】
前記耐水性紙材が耐水性クラフト紙である請求項１記載の防虫具。
【請求項３】
前記ケースに水抜き穴を備える請求項２記載の防虫具。
(57)【要約】      （修正有）【課題】就寝時に無意識に体を寝返りしたり横に移動しても、枕が移動しないでいつも頭部の下部に安定した高さと硬さを敷き布団の端から端まで存在させるとともに、夏は涼しく冬は暖かく、肩こりの原因を防ぐ肩や首の保温ができる寝具を提供する。【解決手段】敷き布団又は就寝用マット１に同じ幅の枕部２を一体化させた寝具の形状で、季節に応じて主に枕部を折り曲げて使用したり、そのままで使用する。【選択図】図１
0003226691.tif 000002
【実用新案登録請求の範囲】
【請求項１】
敷き布団又は就寝用マットの就寝部に同じ幅の枕部を一体化させた寝具の形状で主に枕部を折り曲げて使用したり、そのままで使用する寝具。
【考案の詳細な説明】
【技術分野】
【０００１】
本考案は就寝時の敷き布団やベッド上に敷く就寝用マットの形状についての考案である。
【背景技術】
【０００２】
就寝時において無意識に体を寝返りさせたり移動する。そのため本来頭部の下部にあるべき枕が移動し、時には寝違え等で首を痛めたり肩こりの原因となる。移動しない枕を実現するために、敷き布団の頭部の部分に枕を一体化された敷き布団や、色々な方法で枕を固定する手法も考案されている。また通常の枕は敷き布団や就寝用マットの幅より狭く出来ているので、就寝時に敷き布団の全体を使用する就寝者には枕の幅が不足する場合がある。
【０００３】
時代の変化に伴い床の上に布団を敷く生活からベッドの上に敷き布団や就寝用マットを敷き就寝するようになった。また寝具も布団カバーだけではなく敷きパットが出現した。敷きパットは夏涼しく冬暖かい四季に合せた性能を発揮する物もある。敷き布団や就寝用マットと枕の関係も四季に合せた性能の追求も必要になってきた。
【先行技術文献】
【特許文献】
【０００４】
【特許文献１】実用新案登録第３１９６３９３号
【特許文献２】実用新案登録第３１５７５４５号
【特許文献３】特開２００７−３０１０４１
【特許文献４】特開２０１９−１１１２７０
【特許文献５】特開２０１９−５８６９５
【特許文献６】特開２０１８−１９１７５０
【特許文献７】実用新案登録第３１８８０５７号
【特許文献８】特開２００４−３２９８４１
【特許文献９】特開２００４−６５７８２
【特許文献１０】特開２０００−２５３９５７
【特許文献１１】実用新案第３０６３７５３号
【特許文献１２】特開平１１−１０３９９３
【特許文献１３】特開平８−１９４５６
【特許文献１４】実用新案第３０１８５４７号
【特許文献１５】実開昭５１−６２３１７
【特許文献１６】実開昭48−２１９１６
【考案の概要】
【考案が解決しようとする課題】
【０００５】
就寝時において無意識に体を寝返りしたり横に移動しても、枕が移動しないでいつも頭部の下部に安定した高さと硬さを敷き布団の端から端まで存在させる。
【０００６】
敷きパットの利用に伴い、敷き布団や就寝用マットと枕の関係も四季に合せた性能の追求が必要で、夏は涼しく冬は暖かく、肩こりの原因を防ぐ片や首の保温の方法が重要である。
【課題を解決するための手段】
【０００７】
移動しない枕を実現するために図１の１の本体（敷き布団又はマット部）と３の本体（接続部）及び２の本体（枕部）を一体とした敷き布団や就寝用マットとする。伸縮性のある外装材で縫製された場合は３の接続部は縫い線でも良い。        
【考案の効果】
【０００８】
図１の１の本体（敷き布団又はマット部）と３の本体（接続部）及び２の本体（枕部）を一体化させる事により、生産が一工程となり寝具の生産コスト軽減となる。また、枕や枕カバーが不要となる。最近では通常より30ｃｍ程度長いベッドが普及しつつありそれに伴い長い敷き布団や就寝用マットが生産されシーツやカバーも特注にする必要もない。
【図面の簡単な説明】
【０００９】
【図１】本体図
【図２】夏季用に枕部を敷き布団やマットの上に折り曲げた状態
【図３】冬季用に敷き布団やマットの下に枕部を敷き込んだ状態
【図４】枕部を垂直に折り曲げヘッドレストにした状態
【考案を実施するための形態】
【００１０】
図２は主に夏季に使用する方法として、2の本体（枕部）を1の本体（敷き布団又はマット部）の上に折り曲げて、4の敷きパットを被せるように敷く方法である。通常の枕と同様に首の来る部分に微妙な空間が出来て涼しく感じられる。枕部が一体となっているため移動もなく、1の本体（敷き布団又はマット部）の端から端まで2の本体（枕部）があるので何度寝返りを打っても快適である。また、夏季用の敷きパットを首や頭部の部分も利用でき快適である。
【００１１】
図３は冬季に使用する方法で、この考案の最も性能が発揮できる状態である。２の本体（枕部）を折り曲げて１の本体（敷き布団又はマット部）の下に敷き込み、その上に４の敷きパットを被せるように敷く方法である。１の本体（敷き布団又はマット部）が２の本体（枕部）に重なる部分が45度から30度程度の微妙な勾配が出来る。この部分に体の首の部分が接し１の本体（敷き布団又はマット部）と体（首から形の部分）が密着し何度寝返りを繰り返しても常に温かい状態を確保する。また、冬季用の暖かな敷きパットが肩から首、頭部まで暖め、敷きパットの性能を最大限に発揮できる。
【００１２】
図４は２の枕部をヘッドレストとして使用する状態である。就寝時に枕を必要としない場合や、就寝時に金属や木、樹脂で出来ているベッドのヘッドボードから頭部を保護するヘッドレストになる。
【産業上の利用可能性】
【００１３】
最近は身長も高くなりそれに合せて今までより30ｃｍ程度長いベットも販売されている。その場合、２の本体（枕部）を足下の方に敷き、かかとの部分を3の本体（接続部）に来るように就寝するとかかと部分が沈み込み快適でかつ足元が温かく感じられる。他に、就寝時の体勢が常に横向である方は図１の状態で使用し、2の本体（枕部）の上に枕を置き就寝すれば肩の部分が3の本体（接続部）のくぼみにはまり快適である。
【符号の説明】
【００１４】
1  本体（敷き布団又はマット部）
2  本体（枕部）
3  本体（接続部）
4  敷きパット
5  ベッド
【図１】
0003226691.tif 000003
【図２】
0003226691.tif 000004
【図３】
0003226691.tif 000005
【図４】
0003226691.tif 000006
【手続補正書】
【提出日】令和2年4月9日(2020.4.9)
【手続補正１】
【補正対象書類名】実用新案登録請求の範囲
【補正対象項目名】請求項１
【補正方法】変更
【補正の内容】
【請求項１】
敷き布団又は就寝用マットに同じ幅の枕部を一体化させた寝具の形状で主に枕部を折り曲げて使用したり、そのままで使用する寝具。
(57)【要約】      （修正有）【課題】スプリング機能を下支え構造により施した、ねずみ捕獲粘着トラップを提供する。【解決手段】本考案は、３つ折り状の、ねずみ捕獲粘着トラップ１の中央面下側に、スプリング機能を有した、軟質ウレタンゴム２を設けることに依り、ねずみ捕獲粘着トラップ１上を水平方向に走り抜け逃げようとする、ねずみの運動に対し負荷となる垂直抗力を、ねずみ捕獲粘着トラップ１下から、発生させることで、対ねずみへの障害となり、ねずみの捕獲率を上げ、脱着率を同時に下げさせられる。【選択図】図１
0003226699.tif 000002
【実用新案登録請求の範囲】
【請求項１】
３つ折り状の、ねずみ捕獲粘着トラップの中央面の下側に、スプリング機能を施した、軟質ウレタンフォームを付設させ、はね出し力を擁した、ねずみ捕獲粘着トラップ。
【考案の詳細な説明】
【技術分野】
【０００１】本考案は、スプリング機能を下支え構造により施した、ねずみ捕獲粘着トラップに関するものである。
【背景技術】
【０００２】ねずみを捕獲する為に、台紙上に粘着剤を塗布させた、ねずみ捕獲用の粘着トラップは、存していた。
【先行技術文献】
【０００３】インターネットショッピングモール内、キーワード検索「ねずみとり」、若しくはカテゴリー検索「殺虫剤」「園芸忌避用品」
【考案の概要】
【考案が解決しようとする課題】
【０００４】従前品の、ねずみ捕りは、ねずみを捕獲する為に、台紙上に粘着剤を塗布したものを敷設・仕掛けるものであった。スプリング機能を従前品の下側に付設させることで、油性の粘着剤に相反する、ねずみの濡れた足で、通り抜けられ、捕獲率の低減と、脱着率を抑制できずじまいであった従前品以上に、ねずみの体重で、トラップ上で沈みこませ、ねずみに負荷となる、接地（上）面からの垂直抗力とで走り抜け（回避）を余儀なくさせていた、ねずみの足下はじめ、ねずみ全体にと粘着剤を付着させる面積と時間を多くさせるものである。
【課題を解決するための手段】
【０００５】本考案は、ねずみ捕獲粘着トラップの下側に、スプリング機能を有した、軟質ウレタンゴムを付設させ、台紙上に乗った、ねずみの足下から、ねずみ自体そのもを沈みこませ、捕獲率の向上と、脱着率の低減を図っている。
【考案の効果】
【０００６】上述のように、本考案の、ねずみ捕獲粘着トラップ・下支えスプリング構造は、水と油で相反する、石油製剤を使った粘着剤と、水で濡れていることが定例の、ねずみの足側に障害に成るように、トラップ上で、足踏みさせ、走り抜けをさせぬように、金属バネやゴムクッション以上に、高いバネ係数を持ち、はね出し力に優れ、高い反発力を出させる、軟質ウレタンゴムを付設登用させることに依り、ねずみの足下の接面下側から発生する、物理力学上の垂直抗力がより働き、ねずみの水平方向への常軌運動を妨げ、捕獲率を高め、脱着率を低減させる。
【図面の簡単な説明】
【０００７】
【図１】本考案の、ねずみ捕獲粘着トラップ・下支えスプリング構造の設置例を示す断面（側面）図である。
【図２】本考案の下面図である。
【考案を実施するための形態】
【０００８】スプリング機能、すなわち軟質のウレタンゴムを、従前型ねずみ捕獲粘着トラップ３つ折り構造は、中央面の底面下側に設けることに依り、水平方向に、逃げ走り向けようとする、ねずみに対して、過度な、物理力学上の垂直抗力が負荷として掛かり、従前型品以上に、捕獲率が増し・脱着率が低減する。
【実施例】
【０００９】以下、添付図面に沿って、実施例を説明する。
１．３つ折り状の、ねずみ捕獲粘着トラップ中央面下側に、２．軟質ウレタンゴムを設ける。
【産業上の利用可能性】
【００１０】台紙上に粘着剤を塗布させた、従前型ねずみ捕獲粘着トラップを敷設させてきた慣習が有ったが、その捕獲ができないから大量に敷き詰めるという、非経済的で、労力も時間も要する非効率さを呈してきたが、少ないトラップ枚数で、労力も時間もかけずに、速く多く、ねずみを捕獲させ、捕獲者満足度の向上を増幅させ、ねずみからの各種被害（経済的・心労的・衛生的）からの早期脱却を図れる。
ほか、対人間（侵入者）に対しての防犯トラップとしても有効。
【符号の説明】
【００１１】１．３つ折り状の、ねずみ捕獲粘着トラップ
２．軟質ウレタンゴム
【図１】
0003226699.tif 000003
【図２】
0003226699.tif 000004
(57)【要約】      （修正有）【課題】クロスカッター先端部にカッター刃出口は１ヶ所であるが着脱反転に依り２種類の切口となるクロス切断の補助器を提供する。【解決手段】２種類の合計４枚の素材に依り薄切口６と厚切口のカッター刃出口をつくり、カッターホルダーに着脱できる様にリベットと可動ネジにより固定し、作業中カッターホルダーから抜け落ちない様刃の出量調節とを共用する締付ネジ９を設け、ホルダー先端のカッター刃出口の両側がそれぞれの先端切口となる。【選択図】図１
0003226613.tif 000002
【実用新案登録請求の範囲】
【請求項１】
クロスカッター先端に１ヶ所のカッター刃出口でカッターホルダーの差替反転に依り薄切口と厚切口の２種類の切口を設けた地ベラ不要の着脱できるクロス切断の補助器である。
【考案の詳細な説明】
【技術分野】
【０００１】本考案は壁紙切断カッター先端に二種類の切口ガイドを設けたクロス切断を補助する地ベラ不要で着脱できる補助器具である。
【背景技術】
【０００２】施工道具の多種化によりその選別と施工に時間が掛りすぎる。
【考案が解決しようとする課題】
【０００３】クロス貼り施工時のクロス切断においては両手使用が必要であり厚ベラ薄ベラの２種類が必要である。従って地ベラとカッターを合体させることにより、前途の欠点を解決しようとするものである。
【課題を解決するための手段】
【０００４】本考案は、１つのカッター刃出口にカッターホルダーの着脱反転により厚切口と薄切口の２種類のクロス切断を可能にしたものである。
【考案の効果】
【０００５】上述の様に、本考案の両切口を備えたホルダーケースは地ベラと合体させたもので道具の縮小と減量減数に依り施工時間と道具選別による時間の短縮となる。
【施工例】
【０００６】以下の添付図に従って一実施例を説明する。
１は耐久性の適宜素材にてクロスに着色しないもの。
２はここからカッターホルダーを差込み先端の５、６、７よりクロスの厚さに依り適宜にカッター刃先をだしクロスをかっとする差込口であり３はカッターの先端から滑り抜けるのを防止する針金の差込穴で４はよごれやのりづまりの除去の為の開閉ネジ５は厚切り用の本体と同じ厚さの補助板であり６はそのまま薄切口７の角度はカッター刃の折れ目と同じ角度で８はカッターホルダーのカッター刃の移動の為の空間で刃が短くなった時に前へ進める。９はすべり止メ固定ネジ。
【図面の簡単な説明】
【０００７】
【図１】本考案ビニクロＣ．Ｃケース本体の斜視図
【図２】カッターへの装着実写
【符号の説明】
【０００８】１        ビニクロＣＣ本体
２        カッター差込口
３        すべり止メ針金穴
４        開閉用ネジ
５        厚切用補助板
６        薄切口
７        カッター刃折目角度
８        カッターは移動の溝
９        すべり止メ固定ネジ
【図１】
0003226613.tif 000003
【図２】
0003226613.tif 000004
(57)【要約】      （修正有）【課題】ヘッドレストが附いていないオフィスチェアやソファー、またはデッキチェア等の背もたれ部の上部に、簡単に装着固定可能な機能を備えた持ち運び出来るポータブル単体ヘッドレストを提供する。【解決手段】ヘッドレストは、ヘッドレスト本体１と、本体の下部に設けた支柱取り付け金具部２と、支柱取り付け金具部に接続している背もたれ部ホールド支柱３と、支柱と一体構造の支柱締め付け調整ガイド４と、で構成され、ヘッドレストが附いていない椅子やソファー本体の背もたれ部５の上部に背もたれ部ホールド支柱を介してヘッドレストを取り付けることにより、ヘッドレストの備えがない椅子やソファーの快適性を改善する。【選択図】図１
0003226614.tif 000002
【実用新案登録請求の範囲】
【請求項１】
重い頭を支える首の負担を緩和する為のヘッドレストを、単体として活用することが可能となる様に、座席や椅子の背もたれ部に容易に取付けられる機能を備え、持ち運びし易い組立式の構造を考慮したポータブル単体ヘッドレスト。
【考案の詳細な説明】
【技術分野】
【０００１】  元来ヘッドレストは車両の座席や高級オフィスチェア、ソファーなどに付属品として存在している。従ってヘッドレストその物は特別に技術的な新規性は認められないが、ヘッドレストの有する機能効果を多面的に考慮すれば、元々ヘッドレストが付属していない椅子・長椅子やソファーに後付け出来る単体として独立した接続機能を備えた製品が存在しない事に着目する。
【背景技術】
【０００２】  車両のヘッドレストは、座席の背もたれ部のトップに装着し高さを調節する刻みを備えたものが一般的なスタイルであり、オフィスチェアやソファーなどに付属品として備わっているものは、いすのトップ部分に固定的に一体的に装着されている。
また、ヘッドレストの補助的器具として旅行用品などに利用されているネックレストは、背もたれ部が頭部に達していなければ利用できない。
【考案の開示】
【考案が解決しようとする課題】
【０００３】  課題の基本は、背もたれ部はあってもヘッドレストが付いていない椅子・長椅子や、ソファーに容易に取り付け取り外しが出来、且つ持ち運びしやすい組み立て式の機構を備えたポータブルヘッドレストを提供することにある。
【課題を解決するための手段】
【０００４】  考案が指向する技術のポイントは、ヘッドレスト本体部を支える支柱部と背もたれ部を安定した状態で装着固定することを可能とする方策を見出すことにある。
先ず、ヘッドレスト本体の構造については、支柱に掛かる負荷を最小限に留めるために軽量化を図り、エアマット式が最適と考えられる。此れは持ち運びにも便利であり低コストにもつながる。
支柱の形状は平板でも筒状でも問わないが多少の弾性が求められるので、材質はプラスチックやアルミ系が想定される。また、組立式を考慮すれば当然ながら長さを調節出来るジョイント機構を備えればより良い姿となろう。
ともあれ、重さ約５ｋｇの頭部を支えている首の疲労度を軽減する効果を高めることを目的とする本考案の趣旨に沿った性能を構築しなければならない。
本考案の最も重要な仕組みのポイントは、ヘッドレスト本体を椅子や長椅子の背もたれ部に、如何にして安定した状態で固定することが出来るかという命題を解決しなければならない。
その解決策の一つをあげれば、ヘッドレスト本体の支柱部を左右二股形状として更に両方の脚部の低下部を開閉自在ばね構造にすることで安定した装着が可能となるはずである。
本考案のヘッドレストを一体構造にするか組立式にするかは、そのどちらの選択も可能であることを付け加えることができる。
【考案の効果】
【０００５】  ポータブル単体ヘッドレストは、主として背もたれ部はあってもヘッドレストは、付いてない構造のオフィスチェアやソファーを使用時に、椅子やソファーのヘッドレスト機能を補完する効果を発揮することができる。つまり、比較的長時間椅子に座って作業する際や学習、視聴したりする際にどうしても首の疲労が生じる。
首の疲労が原因となる健康障害を緩和する事にもつながり、高齢者の介護面にも寄与することができる医療器具的な要素も兼ね備えている。
更に、背もたれ部の無い丸椅子や折り畳み椅子に対しては、腰掛部分に密着出来る柔軟性の有る素材で出来たシート（プレート）を装着固定する事で、同様の効果を生み出すことが可能となる。
【考案を実施するための最良の形態】
【０００６】  本考案のヘッドレストを具現化するには、ヘッドレスト本体を支えるための支柱部と背もたれ部を一体化した構造にする形態が要求される。
但し、ヘッドレスト本体と支持部（支柱部と背もたれ部）はそれぞれが独立のパーツであるから、組み立て式の構造を適用できる。
以上の要素を考慮して，本考案を実施するための最良の形態を描けば、第一の法式は、背もたれ付きの椅子やソファー用として用いるタイプと、背もたれ無しの腰掛椅子用として用いるタイプの大きく二つに分けて実施することになるであろう。
【実施例】
【０００７】  一般的な利用ケースとして、背もたれ部は有るが、ヘッドレストは無いオフィスチェアやソファーに対応する実施例を示すならば下記の如くなる。
図１は実施例の見取り図であり、この構成機構に於いて１．はヘッドレスト本体、２．は支柱取り付け金具部、３．は背もたれ部ホールド支柱、４．は支柱締め付け調整ガイド、５．は椅子等の背もたれ部、６．は座席部（シート）となる。
【図面の簡単な説明】
【０００８】
【図１】本考案の実施例モデル図
【図２】本考案本体の側面図
【符号の説明】  １．ヘッドレスト本体
２．支柱取り付け金具部
３．背もたれ部ホールド支柱
４．支柱締め付け調整ガイド
５．背もたれ部
６．座席部
【図１】
0003226614.tif 000003
【図２】
0003226614.tif 000004
【手続補正書】
【提出日】令和1年12月20日(2019.12.20)
【手続補正１】
【補正対象書類名】実用新案登録請求の範囲
【補正対象項目名】請求項１
【補正方法】変更
【補正の内容】
【請求項１】
ヘッドレストが付いていないオフィスチェアやソファーの背もたれ部に固定装着出来る様にヘッドレスト本体と背もたれ締め付け調整ベルトや調整ネジを備えたホールド支持部とを組合わせたポータブル単体ヘッドレスト。
【手続補正書】
【提出日】令和2年4月2日(2020.4.2)
【手続補正１】
【補正対象書類名】実用新案登録請求の範囲
【補正対象項目名】全文
【補正方法】変更
【補正の内容】
【実用新案登録請求の範囲】
【請求項１】
ヘッドレストが付いていないオフィスチェアまたはソファーの背もたれ部に固定装着出来る様に、ヘッドレスト本体と背もたれ締め付け調整ベルトまたは調整ネジを備えたホールド支持部を有するポータブル単体ヘッドレスト。
(57)【要約】      （修正有）【課題】挟んでいるページが開きやすく、見た目にも華やかなしおりを提供する。【解決手段】帯状の２枚の生地１、２を重ねあわせ、両端部を縫い合わせて固定し、両端部の一方または両方に装飾部３を設ける。２枚の帯状の生地は、一方の生地の幅が他方の生地より短くする。また両端部を延長した線が略直角に交わる。また、装飾部と帯状の生地は一体化している。本を閉じたときに天部と前小口部から装飾部が覗くため、一目でどのページに挟んでいるかを特定でき、また、繰り返し使え本や紙を傷めない。【選択図】図１
0003226237.tif 000002
【実用新案登録請求の範囲】
【請求項１】
帯状の２枚の生地よりなり、前記２枚の生地の両端部が固定され、前記両端部の一方または両方に装飾部を設けたことを特徴とするしおり。
【請求項２】
装飾部は２枚の生地の端部を固定する固定ラインの外側に設けられている、請求項１に記載のしおり。
【請求項３】
装飾部はその外周の一部が固定ラインに沿うように設けられている、請求項２に記載のしおり。
【請求項４】
当該しおりの両端部にそれぞれ装飾部が設けられている請求項１から３の何れか１つに記載のしおり。
【請求項５】
装飾部の裏面は、２枚の生地のうち裏側の生地に被覆されている、請求項１から４に記載のしおり。
【考案の詳細な説明】
【技術分野】
【０００１】      本考案は、書籍や手帳等に使用するしおりに関し、読んでいる該当ページに取り付けて、特に本を開かなくてもどこについているかすぐに分かるしおりに関する。
【背景技術】
【０００２】      従来、しおりといえば絵柄のついた紙等に穴をあけて細い紐を結んだ紙のしおりや、本の背表紙の内側にはさみ込んである紐しおり、クリップでページに挟んでとめるしおりなどがあったが、本を閉じた状態で該当箇所はわからなかった。
【考案の概要】
【考案が解決しようとする課題】
【０００３】      従来、しおりといえば絵柄のついた紙等に穴をあけて細い紐を結んだ紙のしおりや、本の背表紙の内側にはさみ込んである紐しおり、クリップでページに挟んでとめるしおりなどがあったが、閉じた状態で該当の位置がすぐにわかるものはみられなかった。かつ刺繍などを施した装飾的なものはなく、見栄えの点で華やかさや斬新性のあるものはみられなかった。
【課題を解決するための手段】
【０００４】        帯状の２枚の生地を重ねあわせ、両端部を縫い合わせて固定し、前記両端部の一方または両方に装飾部を設けることを特徴とするしおりを提供する。
【考案の効果】
【０００５】        以上のように、本考案によれば、一目でどのページにしおりを挟んでいるかを特定でき、挟んでいるページが開きやすく見た目にも華やかなしおりを提供できる。
【図面の簡単な説明】
【０００６】
【図１】本実施形態に係るしおりを正面から見た説明図
【図２】本実施形態に係るしおりを裏から見た説明図
【図３】本実施形態に係るしおりの使用時の説明図
【考案を実施するための形態】
【０００７】
【実施形態１】
【０００８】        しおり１０は、台形にカットした帯状の第１の生地と第２の生地を２枚重ねて両端部４を縫製して固定し、両端部４に刺繍ワッペンなどの装飾部３を接着したものである。その際に２枚の生地の一方の幅を他方の生地より５ｍｍ程度小さくしておくと、紙を挟みやすくなる。
【０００９】        ２枚の生地１、２でページに取り付けるため、さらに装飾部３が固定ラインより外側にあることで、本を閉じた時にも正面から見てすぐに該当箇所がわかり、インデックス的役割で該当ページをすぐに開くことができる。
【００１０】        当該しおりの両端部にはそれぞれ装飾部が設けられており、装飾部は２枚の生地の端部を固定する固定ラインの外側に設けることで本を閉じたときに天部と前小口部から装飾部が覗くようにする。また、装飾部はその外周の一部が固定ラインに沿うように設けることもできる。
【００１１】        しおり１０は、両端部４の延長した線が交わる角度αが略直角である事で、どのような本や手帳にでも装着しやすくなる。また、生地１及び生地２の素材は特に限定されないが、適度な強度が必要であるが厚すぎても外れやすい。本革、合成皮革などの裏面に凹凸のあるものがすべりにくく好ましい。
【００１２】        装飾部の裏面は、２枚の生地のうち裏側の生地に被覆されており、装飾部３と帯状の生地１及び生地２を一体化することで、美的効果をもたらすことができる。
【００１３】        本考案は帯状の生地１及び生地２が裏表にあり、この生地１及び生地２の面を企業、製品などいろいろな広告に利用可能であるうえ、両側の装飾部３に企業のロゴマークやキャラクターなど様々なデザインを表現することができるため、ノベルティーグッズとしても利用できる。
【００１４】          装飾部は同じ柄で左右対称にすることもできる。また、右開き、左開き用の装飾部を設けた柄にすることも可能である。
【００１５】          装飾部は表面のみでなく、裏面にも装着することが可能である。
【実施形態１の効果】
【００１６】          本実施形態によれば、本を閉じたときに天部と前小口部から装飾部が覗くため、一目でどのページに挟んでいるかを特定でき、挟んでいるページが開きやすいしおりを提供できる。また、２枚の生地の幅が異なる為に生地が重なった状態であっても容易にめくる事ができ、本に容易に装着する事ができる。
【００１７】          装飾部は同じ柄で左右対称にすることで、右開きの本でも左開きの本でもどちらにも利用することができ、利便性にもすぐれている。また、右開きあるいは左開き専用の装飾部を設けたしおりを作成することも可能である。
【００１８】          装飾部を表面のみでなく、裏面にも装着する場合には、装飾部分が目立つため、本の裏面から見た場合でも更に該当箇所がわかりやすく、また美的効果も増す。
【００１９】        従来、金属やプラスチックを使用したクリップタイプのしおりは長時間つけたままにしていると紙を傷める場合もあったが、本実施形態は紙製品やシールタイプと違い繰り返し使え、糊や金属、プラスチックなどを使用していないため、本や紙を傷めない。
【符号の説明】
【００２０】  １  生地
２  生地
３  装飾部
４  両端部
１０  しおり
【図１】
0003226237.tif 000003
【図２】
0003226237.tif 000004
【図３】
0003226237.tif 000005
(57)【要約】      （修正有）【課題】オーバーコートあるいはジャケットの内側にマフラーを簡単に格納できるマフラーの吊り紐を提供する。【解決手段】オーバーコートあるいはジャケット１の内側の袖口から襟元の適切な位置に丸紐または平紐２を取り付け、丸紐または平紐２にマフラーを引っ掛けて格納する。【選択図】図１
0003226236.tif 000002
【実用新案登録請求の範囲】
【請求項１】
オーバーコートあるいはジャケットの内側の袖口から襟元にかけて適切な長さの丸紐または平紐を取り付け、これにマフラーを引っ掛けて格納できることを特徴とするマフラーの吊り紐。
【考案の詳細な説明】
【技術分野】
【０００１】  オーバーコートあるいはジャケットに付加する工作にかかわるものである。
【背景技術】
【０００２】  簡単な作業によって目的を完了したい。
【考案の概要】
【考案が解決しようとする課題】
【０００３】  オーバーコートあるいはジャケットの内側にマフラーを簡単に格納したい。
【課題を解決するための手段】
【０００４】  オーバーコートあるいはジャケットの内側の適切な位置、たとえば袖の付け根から襟元にかけて１０センチ程度の適切な長さを有する丸紐または平紐を取り付け、これに折りたたんだマフラーを引っ掛けて格納することを可能にする。
【考案の効果】
【０００５】  制作が容易な上、簡単にマフラーの着脱が可能で置き忘れることが無い。
【図面の簡単な説明】
【図１】  正面図
【符号の説明】１    ジャケット
２    紐
【図１】
0003226236.tif 000003
(57)【要約】      （修正有）【課題】球根又は幼苗と共に地中に埋めることで、ネズミの被害を防止することができる金網製地中鉢を提供する。【解決手段】底部１１及び周壁部１２が、金網１３で構成され、球根２０又は幼苗と共に地中３０に埋められる。【選択図】図１
0003226271.tif 000002
【実用新案登録請求の範囲】
【請求項１】
底部（１１）及び周壁部（１２）が、金網（１３）で構成され、球根（２０）又は幼苗、幼木、野菜苗と共に地中（３０）に埋められることを特徴とする金網製地中鉢。
【考案の詳細な説明】
【技術分野】
【０００１】
本考案は、金網製地中鉢に関するものである。より詳しくは、球根又は幼苗（苗木、幼木、野菜苗を含む）と共に畑等の地中に埋めることで、ネズミの被害を防止することができる金網製の防御鉢に関するものである。
【背景技術】
【０００２】
花畑、野菜畑等においては、モグラが活動し、そのモグラが作ったトンネル穴を利用するネズミが球根や根等を食べてしまうという被害が生じることがある。
【０００３】
なお、特許文献１には、同文献「要約」に見られるように、
「草花類を生育、観賞する鉢において、設置する場所、または植物等を定着し収容する空間の大きさ等により適宜変形可能な形態の簡易鉢を提供すること」を課題とし、
「草花類を生育、観賞する鉢であって、塑性変形可能な素材で椀状に形成した網鉢と、単数又は複数の彩色シートと、からなり、前記網鉢の周面全体に彩色シートを配置して被覆したことを特徴とした簡易鉢」
が記載されている。
【０００４】
しかし同文献記載の網鉢１は、その内外両周面に彩色シート２１、２２が配置されて被覆されるものであって（同文献００１１段落）、球根等と共に地中に埋められてネズミから球根等を守るものではない。
【先行技術文献】
【特許文献】
【０００５】
【特許文献１】特開２００３−３８０３６号公報
【考案の概要】
【考案が解決しようとする課題】
【０００６】
本考案が解決しようとする課題は、球根又は幼苗と共に地中に埋めることで、ネズミの被害を防止することができる金網製地中鉢を提供することである。
【課題を解決するための手段】
【０００７】
上記課題を解決するために、本考案の金網製地中鉢は、
底部及び周壁部が、金網で構成され、球根又は幼苗と共に地中に埋められることを特徴とする。
【０００８】
この金網製地中鉢によれば、底部及び周壁部が、金網で構成されているので、この金網製地中鉢内に入れられて地中に埋められた球根又は幼苗を食べようとするネズミを阻止することができ、ネズミの被害を防止することができる。
【図面の簡単な説明】
【０００９】
【図１】本考案に係る金網製地中鉢の実施の形態およびその使用状態を示す図。
【考案を実施するための形態】
【００１０】
以下、本考案に係る金網製地中鉢の実施の形態について図面を参照して説明する。
【００１１】
図１に示すように、この実施の形態の金網製地中鉢１０は、
底部１１及び周壁部１２が、金網１３で構成され、球根２０（又は幼苗）と共に地中３０に埋められることを特徴とする。３１は地面である。
【００１２】
この金網製地中鉢１０によれば、底部１１及び周壁部１２が、金網１３で構成されているので、この金網製地中鉢１０内に入れられて地中３０に埋められた球根２０（又は幼苗）を食べようとするネズミＭを阻止することができ、ネズミＭの被害を防止することができる。
【００１３】
金網製地中鉢１０の形状は、内部に球根２０（又は幼苗等）を入れて、地中３０に埋めることができる形状であれば、任意の形状とすることができる。
図示のものは、正面視逆台形状の、バケツ形状である。上部１４は開口している。
金網１３は、公知の金網を採用することができる。
【００１４】
金網１３の網目の大きさＤは、ネズミＭの侵入を阻止し、良好な水はけが得られ、草花、球根、苗木、及び野菜の根が金網の外に出ることができる大きさであれば任意である。例えば、金網１３の網目の大きさＤは、５ｍｍ以上２０ｍｍ未満とする。
【００１５】
以上、本考案の実施の形態について説明したが、本考案は上記の実施の形態に限定されるものではなく、本考案の要旨の範囲内において適宜変形実施可能である。
【符号の説明】
【００１６】
１０：    金網製地中鉢
１１：    底部
１２：    周壁部
１３：    金網
２０：    球根（又は幼苗）
３０：    地中
Ｍ：    ネズミ
【図１】
0003226271.tif 000003
(57)【要約】      （修正有）【課題】太めの線材の釣り針と細いハリスとの組み合わせであっても、ハリスから脱落するのを防止する釣り針を提供する。【解決手段】ハリスが挿通される挿通孔２を頭部に有する釣り針１０２であって、挿通孔２は、径が０．７ｍｍ未満であり、太めの線材の釣り針１０２と細いハリスとの組み合わせであっても釣り針１０２がハリスから脱落しない。また、釣り針１０２の挿通孔２は、釣り針の線材自身に開孔された挿通孔であり、小さい挿通孔であってもプレス機などで製造しやすい。【選択図】図２
0003226289.tif 000002
【実用新案登録請求の範囲】
【請求項１】
ハリスが挿通される挿通孔を頭部に有する釣り針が、前記ハリスが挿通された状態で前記ハリスを軸に回動自在に取り付けられ、前記ハリスの一端に前記釣り針が脱落するのを防止する前記ハリスが結束されたストッパーを備える釣りの仕掛けにおいて、前記釣り針が前記ハリスから脱落しないために前記挿通孔の径が０．７ｍｍ未満であることを特徴とする釣り針。
【請求項２】
前記挿通孔は、前記釣り針の軸である線材自身に開孔された孔である請求項１の釣り針。
【考案の詳細な説明】
【技術分野】
【０００１】  ハリスが挿通される挿通孔を頭部に有する釣り針が、ハリスを挿通された状態でハリスを軸に回動自在に取り付けられ、釣り針がハリスを結束したストッパーを越えて脱落しないための、釣り針の挿通孔に関するものである。
【背景技術】
【０００２】  上述した釣り針は、一般的に、管付き針と呼ばれ挿通孔を頭部に有する釣り針である。管付き針の挿通孔は、釣り針の軸である線材をリング状に曲げることで形成されるので、線材の直径が太くなれば挿通孔の径が大きくなりやすい。また、釣り針がハリスに回動自在に取り付けられ、ハリスを結束したストッパーで脱落防止することは一般には知られていないため、それに対応できる管付き針は開発されていない背景がある。
【先行技術文献】
【０００３】
【非特許文献１】ｈｔｔｐ：／／ｗｗｗ．ｇａｍａｋａｔｓｕ．ｃｏ．ｊｐ／ｃｌｉｅｎｔ／ｐｒｏｄｕｃｔ／ｓｈｏｗＤｅｔａｉｌ？ｉｔｅｍＣｏｄｅ＝６６０７５  （２０２０年２月５日検索）
【考案の概要】
【考案が解決しようとする課題】
【０００４】  管付き針の挿通孔は、釣り針の線材をリング状に曲げることで形成されるが、線材が太い物は１ｍｍ程度であるので、挿通孔の径はおおよそ１ｍｍ程度である。また、細い線材は０．５ｍｍ程度なので挿通孔の径は０．５ｍｍ程度である。つまり挿通孔の径はおおよそ０．５ｍｍ〜１．０ｍｍの範囲にある。一般的に使用される細めのハリスの直径は０．２ｍｍ程度であり、ハリスを結束したストッパーの直径が０．７ｍｍ程度となるので、太めの線材の釣り針と細めのハリスの組み合わせの場合、ストッパーの直径より挿通孔の径が大きいため、管付き針がハリスから脱落する。非特許文献１に示したものも同様である。本考案は、太めの線材の釣り針と細いハリスの組み合わせであっても釣り針がハリスから脱落するのを防止するためのものである。
【課題を解決するための手段】
【０００５】  本考案は、ハリスが挿通される挿通孔を頭部に有する釣り針が、前記ハリスが挿通された状態で前記ハリスを軸に回動自在に取り付けられ、前記ハリスの一端に前記釣り針が脱落するのを防止する前記ハリスが結束されたストッパーを備える釣りの仕掛けにおいて、前記挿通孔の径が０．７ｍｍ未満であることを特徴とする釣り針である。【０００６】  本考案の前記挿通孔は、前記釣り針の軸である線材自身に開孔された孔である請求項１の釣り針である。
【考案の効果】
【０００７】  本考案は、釣り針の挿通孔の径が０．７ｍｍ未満であるので、太めの線材の釣り針と細いハリスの組み合わせであっても釣り針がハリスから脱落しない。【０００８】  本考案の挿通孔は、釣り針の線材自身に開孔されるので、小さい挿通孔であってもプレス機などで製造しやすい。
【図面の簡単な説明】
【０００９】
【図１】ａ）  第一の実施例の左側面図  ｂ）  第一の実施例の平面図
【図２】ａ）  第二の実施例の左側面図  ｂ）  第二の実施例の平面図
【図３】第一の実施例を釣り仕掛け１０３に適用した図
【考案を実施するための形態】
【００１０】  下記の実施例をもって、考案を実施するための形態の説明も兼ねる。
【実施例】
【００１１】  図１ａ）及び図１ｂ）の第一の実施例である釣り針１０１は、頭部１の挿通孔２の径が０．７ｍｍ未満である。この挿通孔２は釣り針１０１の軸である線材３を曲げることでリング状にしたものである。小さく曲げることで挿通孔部に金属疲労が残ることが懸念される。【００１２】  図２ａ）及び図２ｂ）の第二の実施例である釣り針１０２は、軸である線材３自身に開孔した挿通孔２を有し、挿通孔２の径が０．７ｍｍ未満である。この挿通孔２は釣り針１０２の線材３をプレス機などで開孔するのが適しており、縫い針の糸を通す孔と同様の製造方法が適用できる。また、線材に対して挿通孔が大きい場合は、線材を平たくして幅を広くするのは言うまでもない。【００１３】  図３は、第一の実施例である釣り針１０１を釣り仕掛け１０３に取り付けたものである。図では挿通孔２が見やすいように、釣り針１０１を使用し、挿通孔２を大きめに描いてある。この釣り仕掛け１０３はハリス６が挿通された挿通孔２を有する釣り針１０１と、ハリス６の一端７にハリス６が結束されたストッパー９があり、釣り針１０１はストッパー９よりハリス６の他端８側に位置する。すなわち釣り針１０１はハリス６の一端７から脱落しない構成になる。ハリス６の他端８はサルカン１０などの係止具に接続されている。（釣り針１０２を使用しても同じ構成である）
【符号の説明】
【００１４】    １  釣り針の頭部    ２  挿通孔    ３  線材（釣り針の軸）    ４  針先    ５  返し    ６  ハリス    ７  ハリスの一端    ８  ハリスの他端    ９  ストッパー  １０  サルカン１０１  第一の実施例１０２  第二の実施例１０３  釣り仕掛け
【図１】
0003226289.tif 000003
【図２】
0003226289.tif 000004
【図３】
0003226289.tif 000005